(57)【要約】【課題】建枠から戸板１を外して、テーブルとして使用できるテーブル兼用建具を必要最小限の部品によって構成する。【解決手段】戸板１の上下の木口に形成された鴨居係合部３と敷居係合部５に、化粧桟７ａ、７ｂを直接取り付け可能にすることにより、最小の部品点数で、戸板１をテーブルとして簡単に利用できるようにした。【選択図】図１
0003121342.tif 000002
【実用新案登録請求の範囲】
【請求項１】
戸板の上下の木口に形成された鴨居係合部と敷居係合部に、直接取り付ける化粧桟を着脱可能に設け、上記戸板の一方の面に脚固定部を設け、この脚固定部に着脱可能に取付けるテーブル脚部を設けたことを特徴とするテーブル兼用建具。
【考案の詳細な説明】
【技術分野】
【０００１】
この考案は、建具の戸板を、テーブルの天板として利用することができるようにしたテーブル兼用建具に関するものである。
【背景技術】
【０００２】
個人宅において、多数の人が集まってパーティ等を開く場合に、普段使用しているテーブルだけでは足りないことがある。
【０００３】
このような場合に備え、普段使用しているテーブルとは別に大きな予備のテーブルを準備しておけばよいが、納戸や物置等の収納空間の少ないマンション等では、特に、普段使用しない大きな予備のテーブルの保管場所に困ることが多い。
【０００４】
このように、普段使用しているテーブルでは足りないような場合に、建具をテーブルとして利用できるようにし、予備のテーブルの保管場所を不要にするために、戸板の上下の木口に、桟固定部を設けて鴨居係合桟と敷居係合桟を着脱可能に取付け、上記鴨居係合桟と敷居係合桟を取り外した戸板の木口の桟固定部に着脱可能に取付けられる化粧桟を設け、上記戸板の一方の面に脚固定部を設け、この脚固定部に着脱可能に取付けられるテーブル脚部を設けたものが下記文献１に示されている。
【０００５】
【特許文献１】特開２００４−３６２２０号公報
【０００６】
この文献１に示されたテーブル兼用建具は、普段は、化粧桟とテーブル脚部を戸板から取り外して保管しておき、戸板の上下に鴨居係合桟と敷居係合桟を取付けて建枠に嵌めて建具として使用することができ、テーブルが必要な場合に、建枠から建具を外し、戸板の上下の鴨居係合桟と敷居係合桟を取り外し、取り外した鴨居係合桟と敷居係合桟に代えて、戸板の木口の桟固定部に化粧桟を取付けると、戸板が建具のイメージからテーブルの天板のイメージになるので、化粧桟を取付けた戸板の脚固定部にテーブル脚部を取付けることにより、テーブルとして違和感なく使用できる。
したがって、このテーブル兼用建具は、建具として使用している際には、化粧桟とテーブル脚部のみを保管しておけばよいので、最も嵩張るテーブルの天板の保管場所を心配する必要がなくなり、特に、狭い住宅環境では、人がたくさん集まった時などは、建具を外して、部屋を広くすることも多いが、そのような場合には、この発明に係るテーブル兼用建具は、外した建具をテーブルとして使用することができるので、取り外した建具の保管にも困らない。
【考案の開示】
【考案が解決しようとする課題】
【０００７】
ところが、上記文献１に開示されたテーブル兼用建具は、テーブルとして使用する場合に、建枠から建具を外し、戸板の上下の鴨居係合桟と敷居係合桟を取り外し、それから取り外した鴨居係合桟と敷居係合桟に代えて、戸板の木口の桟固定部に化粧桟を取付ける必要があり、組立てが手間であり、戸板に対して、上下の鴨居係合桟と敷居係合桟の他に、２本の化粧桟を用意する必要があり、部品点数が多く、それだけコストアップになるという問題がある。
そこで、この考案は、必要最小限の部品で、テーブル兼用建具を構成しようとするものである。
【課題を解決するための手段】
【０００８】
この考案は、戸板の上下の木口に形成された鴨居係合部と敷居係合部に、直接取り付ける化粧桟を着脱可能に設け、上記戸板の一方の面に脚固定部を設け、この脚固定部に着脱可能に取付けるテーブル脚部を設けたものである。
【０００９】
即ち、この考案に係るテーブル兼用建具は、戸板の上下の木口に、化粧桟を直接取り付けたり、取り外したり、戸板にテーブル脚部を、取り付けたり、取り外したりすることができるので、簡単に、建具あるいはテーブルとして使用することができる。
【考案の効果】
【００１０】
したがって、この考案に係るテーブル兼用建具は、従来のテーブル兼用建具よりも、部品点数が少なく、組立も簡単である。
【考案を実施するための最良の形態】
【００１１】
以下、この考案に係るテーブル兼用建具の実施形態を図面に基づいて説明する。
この考案に係るテーブル兼用建具の戸板１の上方の木口には、図３に示すように、建枠の鴨居２の溝２ａに係合する鴨居係合部３が一体に形成され、戸板１の下方の木口には、建枠の敷居４の溝４ａ内に係合する敷居係合部５が一体に形成されている。敷居係合部５には、戸車６が設けられている。
【００１２】
戸板１は、少なくとも一方の面がテーブルの天板として使用できるような化粧板によって形成されたものが好ましい。
【００１３】
上記の戸板１の上下の鴨居係合部３と敷居係合部５には、化粧桟７ａ、７ｂが着脱自在に直接取り付けることができるようにしている。このため、化粧桟７ａの裏面には、鴨居係合部３の突出部が嵌まる段部７ｃを設け、化粧桟７ｂの裏面には、敷居係合部５の戸車６を収容する凹部７ｄを設けている。
【００１４】
上記化粧桟７ａ、７ｂを、戸板１の鴨居係合部３と敷居係合部５に着脱自在に固定する手段としては、図５に示すように、テーパ筒８を戸板１の木口に埋め込み、このテーパ筒８にテーパ軸９を差し込み、テーパ筒８に設けた傾斜溝に８ａに、テーパ軸９の側面の突起９ａを嵌め入れてテーパ軸９を回転させることにより、テーパ軸９をテーパ筒８に押し込んで固定する方法を採用することができる。また、図６に示すように、ナット１０を木口に埋め込み、このナット１０にボルト１１を捩じ込んで固定する方法でもよい。
【００１５】
化粧桟７ａ、７ｂには、テーパ軸９あるいはボルト１１の頭部を収容する収容孔１２を形成している。
【００１６】
上記戸板１の片面には、テーブル脚部１３を着脱可能に固定するための脚固定部を４ヶ所に設けている。この脚固定部としては、図５に示す化粧桟７ａ、７ｂの固定手段と同様のもの、即ち、テーパ筒１４を戸板１に埋め込み、テーパ筒１４に係合するテーパ軸１５をテーブル脚部１３の端部に設ける手段でもよいし、図６に示すように、ナット１８を戸板１に埋め込み、ボルト１９をテーブル脚部１３の端部に設ける手段でもよい。
【００１７】
上記化粧桟７ａ、７ｂの裏面には、位置合わせ用のピン１６が取り付けられ、このピン１６が嵌まる穴１７を、戸板１の上下の木口に設けている。
【００１８】
この考案に係るテーブル兼用建具は、普段は、化粧桟７ａ、７ｂとテーブル脚部１３を戸板１から取り外し、建具として使用することができる。
【００１９】
図２は、戸板１の上下の化粧桟７ａ、７ｂを取り外した状態を示し、図３は、建枠に嵌めて建具として使用した状態を示している。
【００２０】
そして、テーブルとして使用する場合には、建枠から建具を外し、戸板１の上下に化粧桟７ａ、７ｂを取付け、化粧桟７ａ、７ｂを取付けた戸板１の脚固定部１４にテーブル脚部１３を取付けることにより、テーブルとして使用できる。
【図面の簡単な説明】
【００２１】
【図１】この考案に係るテーブル兼用建具の分解斜視図
【図２】この考案に係るテーブル兼用建具を建具として使用する場合の状態を示す正面図
【図３】この考案に係るテーブル兼用建具を建枠に嵌めいれた状態の側面図
【図４】この考案に係るテーブル兼用建具をテーブルとして使用する場合の下面図
【図５】この考案に係るテーブル兼用建具の化粧桟の固定する手段の一例を示し、（ａ）はテーパ軸を固定する前の状態、（ｂ）はテーパ軸を回転させてテーパ筒に押し込んで固定した状態、（ｃ）はテーパ軸とテーパ筒の分解斜視図を示している。
【図６】この考案に係るテーブル兼用建具の他の実施形態の分解斜視図
【符号の説明】
【００２２】
１  戸板
２  鴨居
２ａ  溝
３  鴨居係合部
４  敷居
４ａ  溝
５  鴨居係合部
６  戸車
７ａ、７ｂ  化粧桟
７ｃ  段部
７ｄ  凹部
８  テーパ筒
８ａ  傾斜溝
９  テーパ軸
９ａ  突起
１０  ナット
１１  ボルト
１２  収容孔
１３  テーブル脚部
１４  テーパ筒
１５  テーパ軸
１６  ピン
１７  孔
１８  ナット
１９  ボルト
【図１】
0003121342.tif 000003
【図２】
0003121342.tif 000004
【図３】
0003121342.tif 000005
【図４】
0003121342.tif 000006
【図５】
0003121342.tif 000007
【図６】
0003121342.tif 000008